【事件の表示】
　特願２０１３−２６２９８５号「遊技機」拒絶査定不服審判事件〔平成２６年９月４日出願公開、特開２０１４−１５８６８０号〕について、次のとおり審決する。
【結　論】
　本件審判の請求は、成り立たない。
【理　由】
１　手続の経緯の概要
　本願は、平成２４年６月２５日に出願した特願２０１２−１４１６６８号の一部を平成２５年１２月１９日に新たな特許出願（特願２０１３−２６２９８５号）としたものであって、平成２６年１１月１３日付けで拒絶の理由が通知され、平成２７年１月１５日に意見書及び手続補正書が提出されたところ、同年１月２８日付けで拒絶査定がなされ（発送日：同年２月３日）、それに対し、同年４月２０日に拒絶査定不服審判の請求がなされると同時に手続補正書が提出されたものである。
　
２　本願発明
　平成２７年４月２０日付けの手続補正書による補正（以下「本件補正」という。）は、本件補正前の請求項１を削除すると同時に、
　本件補正前の請求項２及び３に記載された「複数の発光素子」を「
Ｎ個（Ｎは２以上の整数）
Ｎ個
　本件補正前の請求項２に記載された「２進数データ」、「２進数の各桁にそれぞれ対応付けられ」、「個々の前記発光素子」を、それぞれ、「
Ｎ桁の
並びの順に
当該各桁に対応する
　本件補正前の請求項３に記載された「所定の桁数の２進数」を「
Ｎ桁
の値
　しかし、本件補正前の「複数の発光素子」は、本件補正後の「
Ｎ個（Ｎは２以上の整数）
Ｎ個
　そして、本件補正前の「２進数データ」、「２進数の各桁にそれぞれ対応付けられ」、「個々の前記発光素子」は、それぞれ、本件補正後の「
Ｎ桁の
並びの順に
当該各桁に対応する
　また、本件補正前の「所定の桁数の２進数」は、複数の発光素子を用いて表示が行われることから、その桁数は２桁以上であるといえる。したがって、本件補正前の「所定の桁数の２進数」は、本件補正後の「
Ｎ桁
の値
　したがって、本件補正は、特許法第１７条の２第５項第１号に規定する請求項の削除を目的とするものであり、新規事項を追加するものではない。
　よって、この出願の請求項１、２に係る発明は、平成２７年４月２０日付けの手続補正書により補正された特許請求の範囲の請求項１、２に記載されたとおりであるところ（平成２７年１月１５日付けの手続補正書の請求項２、３に相当）、その請求項２に係る発明（以下、「本願発明」という。）は、次のとおりのものと認める。  
　
　「【請求項２】
　始動条件の成立を契機として判定情報となる数値を取得する判定情報取得手段と、
　前記判定情報取得手段により取得された前記判定情報に基づいて遊技の進行に関わる所定の判定を行う判定手段と、
　１または０の値に対応して点灯または消灯するＮ個（Ｎは２以上の整数）の発光素子を１列に並べて配置し、Ｎ桁の２進数の値を表示する表示手段と、を備え、
　前記表示手段は、
　前記判定手段による判定が行われた場合に、
　前記Ｎ個の発光素子を点灯させて、前記判定情報取得手段により取得した前記判定情報または当該判定情報を用いて算出される数値を表す２進数データを表示すること、
を特徴とする、遊技機。」
　
３　刊行物
（１）刊行物１に記載された発明
　原査定の拒絶理由において提示された、本願の出願前に頒布された刊行物である特開２０１１−７２５０３号公報（以下「刊行物１」という。）には、図面と共に次の事項が記載されている（下線は審決にて付した。以下同じ。）。
　　ア　「【請求項１】
　遊技球による遊技が行われる遊技領域内で特定領域を遊技球が通過したことを契機として第１の抽選が行われ、当該遊技領域内の特定の入賞口である始動口に入賞したことを契機として第２の抽選が行われる
遊技機
　複数個のＬＥＤ（Light Emitting Diode）で構成され、当該複数個のＬＥＤの点灯態様により、前記第１の抽選の抽選結果を示す図柄である普通図柄を表示する普通図柄表示器と、
　
複数個のＬＥＤを１列に並べて構成され、当該複数個のＬＥＤの点灯態様により、前記第２の抽選の抽選結果を示す図柄である特別図柄を表示する特別図柄表示器
　複数個のＬＥＤを１列に並べて構成され、前記遊技球が前記特定領域を通過した後、前記普通図柄の変動が開始されていない状態である保留状態を表示する普通図柄保留表示器と、
　複数個のＬＥＤを１列に並べて構成され、前記始動口に入賞した後、前記特別図柄の変動が開始されていない状態である保留状態を表示する特別図柄保留表示器と
を備え
　前記特別図柄表示器を構成する前記複数個のＬＥＤの列と、前記普通図柄保留表示器を構成する前記複数個のＬＥＤの列と、前記特別図柄保留表示器を構成する前記複数個のＬＥＤの列とを並列に配置したことを特徴とする
遊技機
　
　　イ　「【技術分野】
【０００１】
　本発明は、図柄表示器を備えた遊技機に関する。
【背景技術】
【０００２】
　遊技機には、特別図柄抽選の抽選結果を表示するための特別図柄表示器、普通図柄抽選の抽選結果を表示するための普通図柄表示器、これらの抽選の契機となる始動口への入賞のうち未抽選分の入賞数（保留数）を示す保留表示器、遊技機の遊技状態を報知するための状態表示器等が設けられている。これらの表示器は、通常、ＬＥＤや７セグメントＬＥＤを用いて構成され、演出等にも用いられる装飾図柄が表示される液晶ディスプレイの表示画面とは別個に設けられる。
【０００３】
　これらの表示器の位置は、遊技機の機種によって様々であるが、遊技盤の下方等、遊技者にとっての視認性を損なわず、かつ遊技の邪魔にならない位置に配置される。特許文献１には、遊技盤の右下隅、遊技球が打ち出されて遊技が行われる遊技領域の外側に上記の表示器を設けた構成が記載されている。
【先行技術文献】
【特許文献】
【０００４】
【特許文献１】特開２０１１−７２５０３号公報
【発明の概要】
【発明が解決しようとする課題】
・・・
【０００７】
　本発明は、このような課題を解決するためになされたものであり、広い遊技領域を容易に確保することができるように構成された表示器を備えた遊技機を提供することを目的とする。
【課題を解決するための手段】
【０００８】
　上記の目的を達成する本発明は、次のような遊技機として実現される。この遊技機は、遊技球による遊技が行われる遊技領域１１１内で特定領域１２４を遊技球が通過したことを契機として第１の抽選が行われ、当該遊技領域内の特定の入賞口である始動口１２１、１２２に入賞したことを契機として第２の抽選が行われる遊技機１００であって、
　複数個のＬＥＤで構成され、当該複数個のＬＥＤの点灯態様により、前記第１の抽選の抽選結果を示す図柄である普通図柄を表示する普通図柄表示器２２３と、
　
複数個のＬＥＤを１列に並べて構成され、
複数個のＬＥＤの点灯態様により、前記第２の抽選の抽選結果を示す図柄である特別図柄を表示する特別図柄表示器２２１、２２２
　複数個のＬＥＤを１列に並べて構成され、前記遊技球が前記特定領域１２４を通過した後、前記普通図柄の変動が開始されていない状態である保留状態を表示する普通図柄保留表示器２２０と、
　複数個のＬＥＤを１列に並べて構成され、前記始動口１２１、１２２に入賞した後、前記特別図柄の変動が開始されていない状態である保留状態を表示する特別図柄保留表示器２１８、２１９と、を備え、
　前記特別図柄表示器２２１、２２２を構成する前記複数個のＬＥＤの列と、前記普通図柄保留表示器２２０を構成する前記複数個のＬＥＤの列と、前記特別図柄保留表示器２１８、２１９を構成する前記複数個のＬＥＤの列とを並列に配置したことを特徴とする。
　ここで、個々の前記特別図柄表示器２２１、２２２を構成する前記複数個のＬＥＤは、少なくとも２種類以上の異なる間隔で配置されている。」
　
　　ウ　「【００１２】
　本発明によれば、特別図柄表示器を１列に並べた複数個のＬＥＤで構成することにより、表示器全体を配置する領域をＬＥＤの列に応じた狭い領域に設定することができるため、広い遊技領域を容易に確保することができる。
・・・
【００１４】
　以下、添付図面を参照して、本発明の実施の形態について詳細に説明する。
〔遊技機の基本構成〕
　図１は、本実施の形態に係るパチンコ遊技機１００の概略正面図である。
　同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。
・・・
【００１７】
　本実施の形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別図柄表示器を作動させることとなる遊技球の入賞に係る入賞口をいう。」
　
　　エ　「【００２４】
　図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
　パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。
第１特別図柄表示器２２１は
特別図柄を変動表示しその抽選結果を表示する
第２特別図柄表示器２２２は
特別図柄を変動表示しその抽選結果を表示する
　
　　オ　「【００４３】
　特別図柄抽選部２３１は、第１始動口１２１や第２始動口１２２に遊技球が入賞した場合に、特別図柄の抽選を行う。
　普通図柄抽選部２３２は、ゲート１２４を遊技球が通過した場合に、普通図柄抽選を行う。
　特別図柄変動制御部２３３は、特別図柄の抽選が行われた場合に、その抽選結果に応じて特別図柄の変動を制御する。
　【００４４】
　
特別図柄抽選結果判定部２３４は、特別図柄の抽選が行われた場合に、その抽選結果が「大当たりか否か」、「大当たりに当選した場合の大当たりの種類」、「大当たりに当選していない場合での小当たりかはずれか」を判定する
　ここで、「大当たり」は、大当たり遊技の終了後に発生する遊技状態に応じて複数の種類に分けられる。具体的には、特別図柄の変動時間が短縮される時短遊技状態の有無および大当たりの当選確率が高確率に変動した確変遊技状態の有無の組み合わせによって大当たりの種類が決まる。すなわち、大当たりの種類としては、大当たり遊技の終了後に、時短遊技状態および確変遊技状態の両方が発生する大当たり、時短遊技状態のみが発生する
大当たり、確変遊技状態のみが発生する大当たり、時短遊技状態および確変遊技状態のいずれも発生しない大当たりが有り得る。以下、これらの大当たりを区別する場合は、大当たり遊技の終了後に発生する遊技状態に基づき、「時短有り」、「時短無し」、「確変有り」、「確変無し」等と記載して区別する。これらの大当たりは、各々個別の特別図柄に対応付けられており、特別図柄抽選において当選した特別図柄の種類に応じて大当たりの種類が確定する。」
　
　　カ　「【００５４】
　スイッチ処理（ステップ５０２）としては、始動口スイッチ処理、ゲートスイッチ処理が行われる。
　始動口スイッチ処理では、
遊技制御部２００の特別図柄抽選部２３１は、
第１始動口スイッチ２１１および第２始動口スイッチ２１２の状態を監視し、スイッチがＯＮとなった場合に、特別図柄抽選のための処理を実行する
　ゲートスイッチ処理では、遊技制御部２００の普通図柄抽選部２３２は、図２のゲートスイッチ２１４の状態を監視し、スイッチがＯＮとなった場合に、普通図柄抽選のための処理を実行する。」
　
　　キ　「【００５９】
　一方、保留数Ｕ１が上限値未満である場合（ステップ６０２でＹｅｓ）、次に
特別図柄抽選部２３１は
特別図柄抽選のための乱数値が取得される
乱数値としては
大当たり乱数値
大当たり図柄乱数値
等が含まれる
　
　　ク　「【００６２】
　一方、保留数Ｕ２が上限値未満である場合（ステップ６０８でＹｅｓ）、次に
特別図柄抽選部２３１は
特別図柄抽選のための乱数値（大当たり乱数、大当たり図柄乱数、
など）が取得される
この乱数値により特別図柄抽選の結果が確定される
　
　　ケ　「【００７４】
〔遊技制御部による大当たり判定処理〕
　図９は、大当たり判定処理（図８のステップ８０８）の内容を示すフローチャートである。
　この大当たり判定処理において、遊技制御部２００の特別図柄抽選結果判定部２３４は、まず、今回の特別図柄抽選における大当たり乱数の判定を行い（ステップ９０１）、大当たりまたは小当たりしたか否かを判断する（ステップ９０２、９０５）。大当たりまたは小当たりしたか否かは、図６のステップ６０４またはステップ６１０で取得した大当たり乱数の値が、大当たりの当選値として設定された値または小当たりの当選値として設定された値と一致したか否かを判断することによって決定される（図１７（ａ）参照）。
【００７５】
　ステップ９０１の乱数判定の結果が大当たりだった場合（ステップ９０２でＹｅｓ）、次に特別図柄抽選結果判定部２３４は、大当たり図柄乱数の判定を行う（ステップ９０３）。この判定の結果に応じて、大当たりの種類（確変有り＋時短有り、確変有り＋時短無し、確変無し＋時短有り、確変無し＋時短無しのいずれか）が決定される。いずれの大当たりとなるかは、図６のステップ６０４で取得した大当たり図柄乱数の値が、大当たりの種類ごとに予め設定された値のうちのいずれと一致したかによって決定される（図１７（ｂ）参照）。
　以上の判定の後、特別図柄抽選結果判定部２３４は、大当たり図柄乱数の判定により決定された大当たりの種類を表す図柄（大当たり図柄）を設定情報としてＲＡＭ２０３にセットする（ステップ９０４）。
【００７６】
　ステップ９０１の乱数判定の結果が小当たりだった場合（ステップ９０２でＮｏ、ステップ９０５でＹｅｓ）、次に特別図柄抽選結果判定部２３４は、小当たりであることを表す図柄（以下、小当たり図柄）を設定情報としてＲＡＭ２０３にセットする（ステップ９０６）。
【００７７】
　ステップ９０１の乱数判定の結果が大当たりでも小当たりでもない場合（ステップ９０２、ステップ９０５でＮｏ）、次に特別図柄抽選結果判定部２３４は、抽選にはずれたことを表す図柄（以下、はずれ図柄）を設定情報としてＲＡＭ２０３にセットする（ステップ９０７）。」
　
　　コ　「【０１１９】
〔乱数による判定の手法〕
　ここで、大当たり判定処理（図９）、変動パターン選択処理（図１０）、普通図柄処理（図１３）等で行われる、乱数による判定の手法について詳細に説明する。
　図１７は、本実施の形態で用いられる乱数の構成例を示す図である。
　図１７（ａ）には大当たり乱数の構成例、
図１７（ｂ）には大当たり図柄乱数の構成例
【０１２０】
　図１７（ａ）を参照すると、大当たり乱数は、パチンコ遊技機１００の遊技状態が確変のない通常時の大当たりと確変時の大当たりの２種類と、小当たりとが設定されている。乱数（大当たり乱数）の値の範囲はいずれも０〜２９９の３００個である。通常時の特別図柄抽選（大当たり抽選）の場合、当選値は１つだけが設定され、当選確率は１／３００である。また確変時の特別図柄抽選の場合、当選値は１０個設定され、当選確率は１０／３００（＝１／３０）である。すなわち図示の例では、確変時に始動口１２１、１２２に入賞し特別図柄抽選が行われると、通常時に特別図柄抽選が行われる場合に比べて、当選確率が１０倍となる。また、小当たりの当選値は、確変か否かに関わらず３個設定され、当選確率は３／３００（＝１／１００）である。
【０１２１】
　
図１７（ｂ）を参照すると
乱数の値の範囲は０〜２４９の２５０個である
　
　　サ　「【０１３３】
　図１９を参照すると、第１特別図柄保留表示器２１８、第２特別図柄保留表示器２１９および普通図柄保留表示器２２０は、それぞれ横１列に並ぶ３個のＬＥＤにより構成された表示装置であり、ＬＥＤの表示態様によって保留数を表示する。
　また、
第１特別図柄表示装置２２１および第２特別図柄表示装置２２２は、それぞれ横１列に並ぶ８個のＬＥＤにより構成された表示装置であり、ＬＥＤの表示態様によって特別図柄を表示する
　また、普通図柄表示器２２３は、それぞれ縦１列に並ぶ２個のＬＥＤにより構成された表示装置であり、ＬＥＤの表示態様によって普通図柄を表示する。
　また、状態表示器２２４は、それぞれ縦１列に並ぶ２個のＬＥＤにより構成された表示装置であり、ＬＥＤの表示態様によって確率変動しているか否か等の遊技状態についての情報を表示する。
　本実施形態では、各表示器を構成するＬＥＤとして、長手方向とそれよりも短い幅方向を有する形状のＬＥＤを用いている。図示の例では長円形であるが、長手方向と幅方向を有する形状であれば、長方形（長辺と短辺を有する）、楕円形（長軸と短軸を有する）等であっても良い。」
　
　　シ　「【０１４１】
　これに対し、本実施形態のように、
特別図柄表示器を１列に並ぶＬＥＤの列で構成すると、特別図柄が表示された場合に、特別図柄表示器のＬＥＤ列における何番目のＬＥＤが点灯しているのかを瞬時に判断することが困難となり、遊技中に特別図柄を識別することが容易ではなくなる
　また、図１９および図２０に示したように、第１特別図柄表示器２２１と第２特別図柄表示器２２２とで対応するＬＥＤの位置が異なるように構成することにより、同じ図柄を表示しても点灯するＬＥＤの位置が異なることとなり、特別図柄を識別することがさらに困難となる。例えば、図２０（ｂ）を参照すると、各特別図柄表示器は同じ特別図柄が表示されており、それぞれ１番目、３番目、６番目、７番目のＬＥＤが点灯している。しかし、図２０（ｃ）に示すように、対応するＬＥＤの位置が異なっているために、一見した限りでは異なる図柄が表示されているような錯覚を与えることができる。
　さらに、特別図柄の識別を一層困難にするために、点灯していない状態では個々のＬＥＤを視認できない（または視認が困難となる）程度の透光性を持ったフィルムを特別図柄表示器の前面に設けることが考えられる。このようにすれば、図２０（ｃ）に示すように点灯しているＬＥＤ以外は視認できなくなるため、特別図柄の識別がさらに困難となる。」
　
　　ス　上記ア〜シから、刊行物１には以下の発明（以下「刊行物発明」という。）が記載されていると認められる。
　「第１始動口スイッチ２１１および第２始動口スイッチ２１２の状態を監視し、スイッチがＯＮとなった場合に、特別図柄抽選のための処理を実行する遊技制御部２００の特別図柄抽選部２３１と、
　特別図柄の抽選が行われた場合に、その抽選結果が『大当たりか否か』、『大当たりに当選した場合の大当たりの種類』、『大当たりに当選していない場合での小当たりかはずれか』を判定する特別図柄抽選結果判定部２３４と、
　それぞれ横１列に並ぶ８個のＬＥＤにより構成された表示装置である第１特別図柄表示装置２２１および第２特別図柄表示装置２２２と、を備え、
　特別図柄抽選部２３１は、大当たり乱数値、大当たり図柄乱数値等を含  む特別図柄抽選のための乱数値を取得し、
　第１特別図柄表示装置２２１および第２特別図柄表示装置２２２は、８個のＬＥＤの点灯態様により、特別図柄抽選の抽選結果を示す図柄である特別図柄を表示し、
　大当たり図柄乱数の乱数の値の範囲は０〜２４９の２５０個である、
　遊技機。」
　
（２）原査定の拒絶理由において提示された、本願の出願前に頒布された刊行物である特開２０１１−１７７２９６号公報（以下「刊行物２」という。）には、図面と共に次の事項が記載されている（下線は審決にて付した。以下同じ。）。
　　ア　「【技術分野】
【０００１】
　本発明は、所定複数の点灯表示部を集めてなるパターン図表示部を備え、乱数を用いた遊技の当否判定結果を行い、その当否判定結果に応じて、点灯する点灯表示部の組み合わせパターンを変更して異なるパターン図を表示する
遊技機
・・・
【０００６】
　本発明は、上記事情に鑑みてなされたもので、
パターン図表示部の表示から当否判定結果を読み取ることを防ぐことが可能な遊技機の提供を目的とする
　
　　イ　「【００５３】
　図柄表示基板９０は、特別図柄表示装置９０Ｖを備え、主制御基板５０から出力したデータに基づいて特別図柄表示装置９０Ｖが点灯するように構成されている。図４に示すように、本実施形態では、特別図柄表示装置９０Ｖには、１５個のＬＥＤで構成された点灯表示部Ｌ１〜１５が配置されている。そして、下側の１０個の点灯表示部Ｌ１〜Ｌ１０と、上側の５個の点灯表示部Ｌ１１〜Ｌ１５に分けられ、上側の５個のＬＥＤのうち、最上部に位置する点灯表示部Ｌ１５によって普通図柄表示部１８Ｈが構成され、２段目に位置する点灯表示部Ｌ１３，Ｌ１４によって特別図柄保留表示部１４Ｘが構成され、３段目に位置する点灯表示部Ｌ１１，Ｌ１２によって普通図柄保留表示部１８Ｘが構成され、下側に位置する点灯表示部Ｌ１〜Ｌ１０によってパターン図表示部１４Ｈが構成されている。」
　
　　ウ　「【００６０】
　そして、特別図柄保留表示部１４Ｘを構成するＬＥＤである点灯表示部Ｌ１３，Ｌ１４と、普通図柄保留表示部１８Ｘを構成するＬＥＤである点灯表示部Ｌ１１，Ｌ１２は、図６（Ｂ）及び図６（Ｃ）に示すように、消灯、点灯、点滅を組み合わせて、それぞれ特別図柄保留球数（０〜４個）と普通図柄保留球数（０〜４個）を表示する。
【００６１】
　さて、パターン図表示部１４Ｈを構成するＬＥＤである点灯表示部Ｌ１〜Ｌ１０の１０個のＬＥＤは、変動中は、点灯表示部Ｌ１〜Ｌ４，Ｌ８〜Ｌ１０は消灯して点灯表示部Ｌ５〜Ｌ７の３つのＬＥＤ（パターン図表示部１４Ｈにおける上から２段目の３つのＬＥＤ）のみが変動する。具体的には、後述する特別図柄表示処理（Ｓ１９１，図２７参照）のステップ３７４及びステップ３７５に示す処理が行われ、割り込み毎に０〜２５５の間でカウントアップされる特別図柄表示タイマの値が１６〜３１（２進数で「０００１００００」〜「０００１１１１１」）のときには点灯表示部Ｌ５のみが点灯し、特別図柄表示タイマの値が３２〜６３（２進数で「００１０００００」〜「００１１１１１１」）のときには点灯表示部Ｌ５，Ｌ６のみが点灯し、特別図柄表示タイマの値が６４〜１２７（２進数で「０１００００００」〜「０１１１１１１１」）のときには点灯表示部Ｌ５〜Ｌ７が点灯する。このように特別図柄表示タイマの値に応じてＬ５〜Ｌ７が点灯状態と消灯状態とに変化して変動中であることを表している。そして、特別図柄外れの場合、点灯表示部Ｌ１のみ消灯して点灯表示部Ｌ２〜Ｌ１０が点灯して停止表示する。一方、特別図柄当りの場合は、当りの種別（図柄対応値）に応じて、点灯表示部Ｌ１〜Ｌ１０の１０個のＬＥＤがそれぞれ点灯又は消灯して停止表示する。即ち、特別図柄当りの場合のパターン図（点灯表示部Ｌ１〜Ｌ１０の点灯態様）は、図柄対応値によって決定する。なお、パターン図は、点灯表示部Ｌ１〜Ｌ１０の１０個全てが消灯した場合を除く１０２３通りの組み合わせが可能であるが、本実施形態では、特別図柄外れの組み合わせ１通りと、特別図柄当りの組み合わせ１０００通りが用意されている。
【００６２】
　以下、特別図柄当りの場合のパターン図について詳説する。本実施形態では、後述する特別図柄表示処理（Ｓ１９１，図２７参照）によって、図柄対応値が、加算値「２２」を加算する変換処理を経て異なる図柄対応値に変換される。すると、その変換後の図柄対応値が点灯データとして取得される。
【００６３】
　ここで、点灯データは、１０ビット２進数の２値データ（ビットデータ）であり、０ビット目が点灯表示部Ｌ１、１ビット目が点灯表示部Ｌ２、２ビット目が点灯表示部Ｌ３、３ビット目が点灯表示部Ｌ４、４ビット目が点灯表示部Ｌ５、５ビット目が点灯表示部Ｌ６、６ビット目が点灯表示部Ｌ７、７ビット目が点灯表示部Ｌ８、８ビット目が点灯表示部Ｌ９、９ビット目が点灯表示部Ｌ１０にそれぞれ対応している。そして、各ビットデータが「１」であれば対応するＬＥＤが点灯し、「０」であれば対応するＬＥＤが消灯する。
【００６４】
　図８及び図９には、図柄対応値に対応したパターン図表示部１４Ｈの点灯態様（パターン図）がいくつか示されている。詳細には、パターン図表示部１４Ｈの概念図として、左上に図柄対応値、右上に図柄対応値に応じた当否種別が記載され、その下に
１０ビット２進数の２値データ（点灯データ）
パターン図表示部１４Ｈ
・・・
【００６８】
　なお、１０ビット２進数の点灯データが本発明の「所定複数桁のビットデータ」に相当し、加算値「２２」が本発明の「図柄変換値」に相当し、加算処理が本発明の「変換演算式」に相当する。本発明に係る「ビットデータ」は、図柄対応値を２進数に変換したデータであるが、図柄対応値は、ビットデータに変換される前に１０進数以外の２進数や１６進数であってもよい。」
　
　　エ　「【００９５】
　図１３に示すように、遊技球が始動ゲート１８を通過していなければ（Ｓ１５０でｎｏ）、又は、ゲート通過処理（Ｓ１５１）に続いて、始動入賞口１４Ａ，１４Ｂに遊技球が入賞したかどうか判断する（Ｓ１５２）。そして、始動入賞口１４Ａ，１４Ｂに遊技球が入賞していなければ（Ｓ１５２でｎｏ）この処理（Ｓ１５）を終了し、入賞していれば（Ｓ１５２でｙｅｓ）特別図柄保留球数（始動入賞口の保留球数）をロードし、特別図柄保留球数が４以上であるか判断する（Ｓ１５３）。特別図柄保留球数が４以上である場合（Ｓ１５３でｙｅｓ）、ただちにこの処理（Ｓ１５）を終了する一方、特別図柄保留球数が４以上でなければ（Ｓ１５３でｎｏ）、特別図柄保留球数に１加算して（Ｓ１５４）、更新値記憶領域から各カウンタ（大当り判定用乱数「ラベル−ＴＲＮＤ−Ａ」及び大当り図柄決定用乱数「ラベル−ＴＲＮＤ−ＡＺ」の値を乱数として取得して各保留に対応した乱数バッファ（Ｒ１０）へ転送する（Ｓ１５５，Ｓ１５６）。」
　
　　オ　「【０１００】
　一方、特別図柄保留球数が「０」ではない場合（Ｓ２０２でｎｏ）、即ち、
始動入賞口１４Ａ，１４Ｂへの入賞に起因して取得された各種カウンタ値の記憶が１つ以上ある場合には
特別図柄変動パターン選択処理（Ｓ２０５）
が行われる
・・・
【０１０３】
　そして、各ステップ３１３，Ｓ３１５において、取得した大当り判定用乱数「ラベル−ＴＲＮＤ−Ａ」が何れかの当り数値と一致した場合には（Ｓ３１３でｙｅｓ又はＳ３１５でｙｅｓ）、大当りフラグをオンして（Ｓ３１４）、この処理（Ｓ２０３）を抜ける。一方、取得した大当り判定用乱数「ラベル−ＴＲＮＤ−Ａ」値が何れの当り数値とも一致しなかった場合には（ステップ３１３，Ｓ３１５でｎｏ）、直ちにこの処理（Ｓ２０３）を抜ける。
【０１０４】
　図１６に示すように、特別図柄大当り判定処理（Ｓ２０３）に次いで、特別図柄選択処理（Ｓ２０４）が実行される。
特別図柄選択処理（Ｓ２０４）は、
大当りフラグがＯＮしている場合（Ｓ３２０でｙｅｓ）には、ロードした大当り図柄決定用乱数「ラベル−ＴＲＮＤ−ＡＺ」の値をセーブする（Ｓ３２１）
【０１０５】
　一方、大当りフラグがＯＮしていない場合（Ｓ３２０でｎｏ）には、外れ図柄の値（本
実施形態では「１０００」）をセーブする（Ｓ３２２）。」
　
　　カ　「【０１３０】
　図１２に示すように、主制御基板割り込み処理（Ｓ５）では、特別動作処理（Ｓ１７）に次いで保留球数処理（Ｓ１８）が行われる。この処理（Ｓ１８）は、図２５に示されており、ＲＡＭ５１Ｂに記憶されたカウンタ値群の組数から保留球数を読み取り（Ｓ１８０）、その保留球数のデータを、ＲＡＭ５１Ｂの出力バッファにセットする（Ｓ１８１）。
【０１３１】
　図１２に示すように、主制御基板割り込み処理（Ｓ５）では、保留球数処理（Ｓ１８）に次いで、
表示制御処理（Ｓ１９）が行われる
処理（Ｓ１９）は
特別図柄表示処理（Ｓ１９１）
が行われる。
【０１３２】
　普通図柄表示処理（Ｓ１９０）では、普通動作処理（Ｓ１６）における処理結果に基づいて普通図柄表示部１８Ｈの点灯データを作成する。なお、この点灯データは、上述したように、普通図柄表示部１８Ｈを構成するＬＥＤである点灯表示部Ｌ１５が、普通図柄変動中は点滅し、普通図柄外れの場合は消灯して非点灯状態となり、普通図柄当りの場合は点灯して停止表示する点灯態様となるように作成される（図６（Ｄ）参照）。　
【０１３３】
　
特別図柄表示処理（Ｓ１９１）は
特別動作処理（Ｓ１７）における処理結果に基づいて
取得した大当り図柄決定用乱数「ラベル−ＴＲＮＤ−ＡＺ」値に対して予め設定された加算値「２２」（２進数で「０００００１０１１０」）を加算する加算処理を行う（Ｓ３７１）
【０１３４】
　次に、特別図柄変動中フラグ（前述の変動中フラグに相当する）が１であるか否かが判断される（Ｓ３７２）。特別図柄変動中フラグが１でない場合（Ｓ３７２でｎｏ）、即ち、特別図柄変動中フラグが０の場合は、
処理後のデータを１０ビット２進数の確定（停止）表示用点灯データとしてＲＡＭに格納する（Ｓ３７３
【０１３５】
　これにより、上述したように、
パターン図表示部１４Ｈに表示されるパターン図が、大当り図柄決定用乱数「ラベル−ＴＲＮＤ−ＡＺ」値に応じた加算処理後の点灯データによる点灯態様となる
【０１３６】
　なお、外れの場合には、上述した特別図柄選択処理（Ｓ２０４，図１８）のステップ３２２によって、大当り図柄決定用乱数「ラベル−ＴＲＮＤ−ＡＺ」の値に関係なく予め設定された固定の図柄値「１０００」（２進数で「１１１１１０１０００」）が設定されている。従って、外れの場合の点灯データは、「１１１１１０１０００」に「０００００１０１１０」が加算されて、常に「１１１１１１１１１０」となる。これにより、パターン図表示部１４Ｈの外れ時のパターン図は、点灯表示部Ｌ１のみ消灯して点灯表示部Ｌ２〜Ｌ１０が点灯して停止表示する点灯態様となる。」
　
　　キ　上記ア〜カから、刊行物２には、遊技機に関し、以下の技術事項が記載されていると認められる。
「始動入賞口１４Ａ，１４Ｂへの入賞に起因して取得された各種カウンタ値の記憶が１つ以上ある場合には特別図柄変動パターン選択処理（Ｓ２０５）が行われ、
　特別図柄選択処理（Ｓ２０４）は、大当りフラグがＯＮしている場合（Ｓ３２０でｙｅｓ）には、ロードした大当り図柄決定用乱数「ラベル−ＴＲＮＤ−ＡＺ」の値をセーブ（Ｓ３２１）し、
　大当り図柄決定用乱数「ラベル−ＴＲＮＤ−ＡＺ」に応じた加算処理後の点灯データによる点灯態様となるパターン図を１０ビット２進数でパターン図表示部１４Ｈに表示する特別図柄表示処理（Ｓ１９１）を行う遊技機。」
　
４　対比
　本願発明と刊行物発明とを対比する。
　ア　刊行物発明における「第１始動口スイッチ２１１および第２始動口スイッチ２１２の状態を監視し、スイッチがＯＮとなった場合に、特別図柄抽選のための処理を実行する遊技制御部２００の特別図柄抽選部２３１」と、本願発明における「始動条件の成立を契機として判定情報となる数値を取得する判定情報取得手段」とを対比する。
　刊行物発明における「第１始動口スイッチ２１１および第２始動口スイッチ２１２の状態を監視し、スイッチがＯＮとなった場合」は、特別図柄抽選のための処理を実行するきっかけとなることから、本願発明における「始動条件の成立を契機と」することに相当する。
　そして、刊行物発明における「遊技制御部２００の特別図柄抽選部２３１」は、「大当たりか否か」や、「大当たりの種類」を抽選により決定する「特別図柄抽選のための処理を実行する」するための「大当たり乱数値、大当たり図柄乱数値等を含む特別図柄抽選のための乱数値を取得」するものであるから、本願発明における「判定情報となる数値を取得する判定情報取得手段」に相当する。
　したがって、刊行物発明における「遊技制御部２００の特別図柄抽選部２３１」は、本願発明における「始動条件の成立を契機として判定情報となる数値を取得する判定情報取得手段」に相当する。
　
　イ　刊行物発明における「特別図柄抽選結果判定部２３４」は、特別図柄抽選部２３１により取得された乱数値に基づいて、「大当たり」か否かといった遊技状態の移行に関する判定を行うものであるから、本願発明における「判定情報取得手段により取得された判定情報に基づいて遊技の進行に関わる所定の判定を行う判定手段」に相当する。
　
　ウ　刊行物発明における「それぞれ横１列に並ぶ８個のＬＥＤにより構成された表示装置である第１特別図柄表示装置２２１および第２特別図柄表示装置２２２」と、本願発明における「１または０の値に対応して点灯または消灯するＮ個（Ｎは２以上の整数）の発光素子を１列に並べて配置し、Ｎ桁の２進数の値を表示する表示手段」とを対比する。
　刊行物発明における「第１特別図柄表示装置２２１および第２特別図柄表示装置２２２」は、「８個のＬＥＤの点灯態様により、特別図柄抽選の抽選結果を示す図柄である特別図柄を表示」するものであり、各ＬＥＤにより点灯、消灯の２つの事象を１桁で現し、８個のＬＥＤにより各事象を８桁で現すものである。
　そして、刊行物発明において、「大当たり図柄乱数の乱数の値の範囲は０〜２４９の２５０個であ」る。また、一つのＬＥＤにより点灯、消灯により２通りの値を表現できるとみると、８個のＬＥＤにより、その８乗の２５６通りの値を表現できることになる。この２５６通りの値は、２５０より大きいことから、この２５６通りの値により、大当たり図柄乱数の乱数の値を表現することが可能となる。
　これらのことからみて、刊行物発明は、特別図柄を８桁からなる２進数（０，１）値により表現するものといえる。
　よって、刊行物発明における「それぞれ横１列に並ぶ８個のＬＥＤにより構成された表示装置である第１特別図柄表示装置２２１および第２特別図柄表示装置２２２」は、本願発明における「１または０の値に対応して点灯または消灯するＮ個（Ｎは２以上の整数）の発光素子を１列に並べて配置し、Ｎ桁の２進数の値を表示する表示手段」に相当する。
　
　エ　刊行物発明における「第１特別図柄表示装置２２１および第２特別図柄表示装置２２２は、８個のＬＥＤの点灯態様により、第２の抽選の抽選結果を示す図柄である特別図柄を表示」することと、本願発明における「表示手段は、判定手段による判定が行われた場合に、Ｎ個の発光素子を点灯させて、判定情報取得手段により取得した判定情報または当該判定情報を用いて算出される数値を表す２進数データを表示する」こととを対比する。
　刊行物発明における「第１特別図柄表示装置２２１および第２特別図柄表示装置２２２」は、抽選結果である特別図柄を表示するものであり、その抽選結果は、上記イにおいて検討したように「特別図柄抽選結果判定部２３４」において判定されたものである。また、「第１特別図柄表示装置２２１および第２特別図柄表示装置２２２」は、８個のＬＥＤの点灯態様により特別図柄を表示するものである。
　このように、刊行物発明における「抽選結果」は、判定に関連する情報であるといえる。
　したがって、刊行物発明における「第１特別図柄表示装置２２１および第２特別図柄表示装置２２２は、８個のＬＥＤの点灯態様により、第２の抽選の抽選結果を示す図柄である特別図柄を表示」することと、本願発明における「表示手段は、判定手段による判定が行われた場合に、Ｎ個の発光素子を点灯させて、判定情報取得手段により取得した判定情報または当該判定情報を用いて算出される数値を表す２進数データを表示する」こととは、「表示手段は、判定手段による判定が行われた場合に、Ｎ個の発光素子を点灯させて、判定に関連する情報を表す２進数データを表示する」ことで共通する。
　
　オ　上記ア〜エより、本願発明と刊行物発明とは、
「始動条件の成立を契機として判定情報となる数値を取得する判定情報取得手段と、
　前記判定情報取得手段により取得された前記判定情報に基づいて遊技の進行に関わる所定の判定を行う判定手段と、
　１または０の値に対応して点灯または消灯するＮ個（Ｎは２以上の整数）の発光素子を１列に並べて配置し、Ｎ桁の２進数の値を表示する表示手段と、を備え、
　前記表示手段は、
　前記判定手段による判定が行われた場合に、
　前記Ｎ個の発光素子を点灯させて、判定に関連する情報を表す２進数データを表示する遊技機。」
　の点で一致し、以下の点で相違する。
　
［相違点］
　表示手段に表示される判定に関連する情報が、
　本願発明は、判定情報取得手段により取得した判定情報または当該判定情報を用いて算出される数値であるのに対して、
　刊行物発明は、特別図柄抽選の抽選結果を示す図柄である特別図柄を表示するが、抽選結果を判定する基になる「判定情報または当該判定情報を用いて算出される数値」を表示するものではない点。
　
５　当審の判断
（１）相違点について
　上記相違点について検討する。
　刊行物２に記載された技術事項は、前記３（２）キのとおり、「特別図柄選択処理（Ｓ２０４）は、大当りフラグがＯＮしている場合（Ｓ３２０でｙｅｓ）には、ロードした大当り図柄決定用乱数「ラベル−ＴＲＮＤ−ＡＺ」の値（「
情報取得手段により取得した判定情報
判定情報を用いて算出される数値
Ｎ桁の２進数の値を表示する表示手段
・・・
　したがって、刊行物２には、上記相違点に係る本願発明の構成である「表示手段に表示される判定に関連する情報が、判定情報取得手段により取得した判定情報または当該判定情報を用いて算出される数値である」ことが記載されている。
　そして、刊行物１には、本願発明と同様に「特別図柄表示器を１列に並ぶＬＥＤの列で構成」した場合に「特別図柄が表示された場合に、特別図柄表示器のＬＥＤ列における何番目のＬＥＤが点灯しているのかを瞬時に判断することが困難となり、遊技中に特別図柄を識別することが容易ではなくなる」こと（【０１４１】）が記載されているから、刊行物発明は、「横１列に並ぶ８個のＬＥＤにより構成された表示装置」を備えることにより、遊技者が「遊技中に特別図柄を識別することが容易ではなくなる」という効果を奏するものである。
　一方、刊行物２には、「パターン図表示部の表示から当否判定結果を読み取ることを防ぐことが可能な遊技機の提供を目的とする」（【０００６】）ことが記載されている。
　したがって、刊行物発明と刊行物２に記載された技術事項とは、遊技者の特別図柄の視認を困難にするという同一の課題を解決するものである。
　また、刊行物発明と刊行物２に記載された技術事項とは、Ｎ桁の２進数の値を表示する表示手段を備える遊技機である点で共通するものである。
　そして、本願発明により奏される効果は、刊行物発明及び刊行物２に記載された技術事項から当業者が予測し得る効果の範囲内のものであって、格別のものではない。
　よって、刊行物発明の表示手段に、刊行物２に記載された技術事項を適用して、判定に関連する情報として、抽選結果に替えて「判定情報を用いて算出される数値」を表示することにより、上記相違点に係る本願発明の構成とすることは当業者が容易になし得たものである。
　
（２）請求人の主張について
　　ア　刊行物１について
　請求人は、平成２７年４月２０日付けの審判請求書において、「ここで、１列に並ぶ発光素子で構成された表示手段により２進数の値を表示する場合、２進数の値がそのまま報知表示されていることを知らない遊技者にとっては、表示手段の各発光素子が不規則なパターンで点灯しているように認識される。したがって、表示手段の表示により示される判定結果を特定するのは容易ではない。一方、２進数の値がそのまま報知表示されていることを知っている遊技者にとっては、発光素子の点灯、消灯の並びから２進数の値を読み取ることができるので、不規則なパターンを識別し認定する場合と異なり、判定結果を容易に特定することができる。
　すなわち、本願発明によれば、２進数の値がそのまま報知表示されていることを知っている遊技者と知らない遊技者とで、報知表示される判定結果の識別の容易さが大きく異なる。そのため、２進数の値がそのまま報知表示されていることを知っている遊技者と知らない遊技者とでは、表示手段に対する注目度が変わることになり、遊技機における新たな興趣を提供することになる。
　これに対し、引用文献１に記載の技術は、判定情報を２進数の値で示し、この２進数の値を表すように複数の発光素子を発光させて報知表示を行うことについては、全く記載されておらず、かかる構成を引用文献１の記載から類推することもできない。」（第５頁第５〜２１行）と主張する。
　
　しかしながら、刊行物発明は、情報に関して、判定情報とは異なるが、「特別図柄抽選の抽選結果を示す図柄である特別図柄」についての情報を２進数の値で示し、この２進数の値を「８個のＬＥＤの点灯態様により」表示するものであるから、情報の内容以外の構成については、本願発明と同様の構成が記載されている。
　そして、請求人が刊行物１に記載されていないとする「判定情報を２進数の値で示し、この２進数の値を表すように複数の発光素子を発光させて報知表示を行う」という技術事項には、上記（１）において検討したように、刊行物２に記載された「点灯態様となるパターン図を１０ビット２進数でパターン図表示部１４Ｈに表示する」という技術事項が対応するものである。
　したがって、請求人の上記主張は採用できない。
　
　そして、本願発明における「発光素子を１列に並べて配置し、
Ｎ桁
の値
　本願と同一出願人の出願である刊行物１には、「第１特別図柄表示装置２２１および第２特別図柄表示装置２２２」の隣接するＬＥＤ同士の間隔に関して、「各ＬＥＤの間の間隔は、長さの異なる２種類の間隔がある。具体的には、例えば第１特別図柄表示器２２１において、１番目（左端）のＬＥＤと２番目のＬＥＤの間の間隔と、５番目のＬＥＤと６番目のＬＥＤの間の間隔とは異なっている。ここでは、前者を短間隔、後者を長間隔と呼ぶ。」（【０１３７】）と記載され、また、「特別図柄抽選の抽選結果が識別できれば、大当たりの種類やその後の遊技状態が分かってしまう。そのため、特別図柄表示器に表示される特別図柄の種類の識別が容易であると、遊技者は、特別図柄表示器に表示された特別図柄を確認することで、演出内容に関わらず特別図柄抽選の結果を識別することができ、遊技に対する集中力や興味が持続しなくなってしまうおそれがある。」（【０１４１】）と記載されている。
　このように、刊行物１には、「第１特別図柄表示装置２２１および第２特別図柄表示装置２２２」の隣接するＬＥＤ同士の間隔を長短２種類の間隔のうちのいずれとすることにより、遊技者が特別図柄の識別を容易にできないようにする技術思想が記載されている。
　そうすると、後願発明である本願発明についても、刊行物１の【図２】と同様の図が、本願図面の【図２】として図示されていることからみて、本願の【図２】に図示された、隣接するＬＥＤ同士の間隔を長短２種類の間隔のいずれかにすることの技術的意義は、刊行物１に記載された内容と同様に、遊技者が特別図柄の識別を容易にできないようにすることにあると認められる。
　したがって、請求人の上記主張は、本願図面の【図２】の図示内容と相反する内容を本願発明の内容と主張するものであるから、この点からも採用することはできない。
　
　イ　刊行物２について
　また、請求人は、平成２７年４月２０日付けの審判請求書において、刊行物２について、「個々の点灯表示部は２値データの各桁の値に対応していても、パターン図表示部に表示されるパターン図自体は乱雑なパターンとなり、本願発明のように２進数の値そのものを表示するものとはならない。」（第６頁第１１〜１３行）と主張する。
　
　しかしながら、刊行物２には、上記アにおいて検討したように、「点灯態様となるパターン図を１０ビット２進数でパターン図表示部１４Ｈに表示する」という技術事項が記載されているのであるから、遊技者によるその２進数の認識の程度は別にして、本願発明のように２進数そのものを点灯態様により表示することが示されていることは明らかである。
　
　したがって、請求人の上記主張は、採用することはできない。
　
（３）小括
　上記（１）、（２）において検討したように、本願発明は、当業者が刊行物発明及び刊行物２に記載された技術事項に基づいて容易に発明をすることができたものである。
　
６　むすび
　以上のとおりであるから、本願発明は、刊行物発明及び刊行物２に記載された技術事項に基づいて当業者が容易に発明をすることができたものであり、特許法第２９条第２項の規定により特許を受けることができない。
　したがって、その余の請求項に係る発明において検討するまでもなく、本願は、拒絶されるべきものである。
　よって、結論のとおり審決する。